(57)【要約】【課題】  開発やアイデアの検討のためにコンピュータによる大規模なシステムの構築が不要で、低コストで、便利に展開でき、体系化できるツールの提供にある。【解決手段】  折り畳み要素索引部の折り畳み区画索引ページは、問題解決業務の作業フローに沿った関連位置に配置し、階層的番地を付与する。また、各区画索引ページは必ず次に進むべき区画ページ番地および／もしくはデータベース部ページ番地を表示する。データシートページは、つづら折りとし、必ず索引部ページに対して下位の階層番地を有する状態で配置し、格納する。さらに、関連類似データページは階層化された記号および／もしくは類似色彩により、整理し、配置する。【選択図】図１
2013141827.tif 000002
【特許請求の範囲】
【請求項１】
開発すべきテーマの多数の要素を網羅し、問題解決の作業の流れに沿った関連位置に配置され、階層的番地を付与された折り畳み可能なシート状の要素区画索引部と、各要素に対応し、要素区画索引部と分離され、つづら折り可能なシート状のデータシート部とからなり、要素区画索引部には、次に進むべき要素区画索引部の区画ページ番地および／もしくはデータベース部のページ番地が表示され、データシート部が要素区画索引部に対して下位の階層番地を有する状態で配置・格納されることを特徴とする問題解決の支援文具。
【請求項２】
問題解決の支援文具
請求項１において、データシート部が階層化された記号および／もしくは着色により、識別できるように整理・配置されていることを特徴とする問題解決の支援文具。
【請求項３】
開発すべきテーマの多数の要素を網羅し、問題解決の作業の流れに沿った関連位置に配置され、階層的番地を付与された折り畳み可能なシート状の要素区画索引部を提供し、各要素に対応し、要素区画索引部と分離され、つづら折り可能なシート状のデータシート部を提供し、次に進むべき要素区画索引部の区画ページ番地、もしくはデータベース部のページ番地を要素区画索引部に記入／表示し、開発テーマの問題点を検討し、解決する工程からなる問題解決の支援文具の使用方法。
【発明の詳細な説明】
【技術分野】
【０００１】      この発明は、利用者の思考過程やアイデアなどを構成する個々の表現データを折り畳み式の要素索引部およびそれと分離したつづら折りデータシート部からなる文具に関し、特にアイデアなどをシートで体系化すると共に、利用者の問題解決の支援文具として、体系化されたデータを効果的に利用可能にする分冊型データ文具に関する。
【背景技術】
【０００２】      開発や発明のアイデアの検討としてブレーンストーミングやそれを支援するＫＪ法などのカードを使う検討手法が用いられている。さらに近年、ＴＲＩＺと称される効率的に開発や発明のアイデアの検討、展開を行う手法が注目されている。【０００３】      これらの具体的な手段としては、コンピュータによる検討要素の分類、要素データの蓄積、データの表示などが系統的に行われ、非常に効率的であるが、中小企業や、零細企業ではコンピュータのシステムの構築の費用が負担となり、ある程度規模の大きい企業や団体でないとこれらの手法の利用や採用が経済的に困難である。【０００４】      コンピュータなどを利用する開発やアイデアの検討や展開を行う装置や方法は、公開特許公報２００２−０９２２６６、公開特許公報２００８−１２３２６５、公開特許公報２００９−０７５８９４、公開特許公報２０１０−２３７８４８、公開特許公報２０１１−１４１７３４などに記載されている。【０００５】      コンピュータなどのシステム構築を必要としない従来の一般的な背綴じ書類などによる問題解決の検討方法では、索引ページから必要作業工程を探し、そこへ移動し、更に下位工程に移動し、処置・データ確認などを繰り返すものである。そのために、索引からさらに並列的な類似工程を検討する際などには、前の作業工程ページに、しおりや指などを挟みながら次の工程を検討することとなり、複次作業の同時検討などの場合には、階層の異なるデータを参照するのに困難を伴い、作業は非能率的であった。【０００６】      公開特許公報２００２−２４４５５０には、見出しの索引付き折り畳み地図の技術が開示されている。この技術は地図の必要地域を選択するのには便利であるが、開発やアイデアの展開手法とは無関係と考えられる。
【先行技術文献】
【特許文献】
【０００７】
【特許文献１】公開特許公報２００２−０９２２６６
【特許文献２】公開特許公報２００８−１２３２６５
【特許文献３】公開特許公報２００９−０７５８９４
【特許文献４】公開特許公報２０１０−２３７８４８
【特許文献５】公開特許公報２０１１−１４１７３４
【特許文献６】公開特許公報２００２−２４４５５０
【非特許文献】
【０００８】
【非特許文献１】“超”発明術「ＴＲＩＺ」シリーズ１入門編  日経ＢＰ
【非特許文献２】「理論編  クラシカルＴＲＩＺの技法」日経ＢＰ
【非特許文献３】「発想法」中公新書
【発明の概要】
【発明が解決しようとする課題】
【０００９】      発明が解決しようとする課題は、開発やアイデアの検討のためにコンピュータによる大規模なシステム構築が不要で、低コストで、便利に展開でき、体系化できる文具としてのツールおよびその使用方法の提供にある。この課題は、折り畳み式の要素索引部とデータシート部を分離した思考支援文具を提供し、利用者の思考過程などを構成する個々の工程を、階層化された折り畳み要素索引部と発想思考の気づきの引き金になるデータシート部で連結、体系化すると共に、利用者の問題解決の支援文具として以下の構成を備えることにより実現される。
【課題を解決するための手段】
【００１０】      折り畳み式の要素索引部の折り畳み区画索引ページは、問題解決業務の作業フローに沿った関連位置に配置し、階層的番地を付与する。また、各区画索引ページは必ず次に進むべき区画ページ番地あるいはデータシート部ページ番地を表示する。【００１１】      折り畳み式の要素索引部の折り畳み方法としては、屏風折り、つづら折り、ミウラ折りなどの種々の折り方で折られ、特に折り畳まれた端部に、索引要素が表示できることが好ましい。【００１２】      データシート部ページは、つづら折りとし、必ず区画索引部ページに対応した下位の階層番地を有する状態で配置し、格納する。さらに、関連類似データシート部ページは階層化された記号あるいは類似色彩により、整理／配置する。折り畳まれた端部にデータ要素の見出しを付けることもできる。【００１３】      支援文具の使用方法としては、開発すべきテーマの多数の要素を網羅し、問題解決の作業の流れに沿った関連位置に配置され、階層的番地を付与された折り畳み可能なシート状の要素区画索引部を提供し、各要素に対応し、要素区画索引部と分離され、つづら折り可能なシート状のデータシート部のページ番地を要素区画索引部に記入／表示して問題解決の検討および作業を行う。
【図面の簡単な説明】
【００１４】
【図１】「折り畳み式の要素索引部およびそれと分離したつづら折りデータシート部からなる文具」を検討テーマとして実施した折り畳み式の要素索引部の平面図である。
【図２】図１の折り畳み式の要素索引部の折り畳み途中の概略図である。
【図３】図２の折り畳み式の要素索引部の折り畳み後の平面図である。
【図４】つづら折りのデータシート部の平面図である。
【図５】図４の裏面の平面図である。
【図６】つづら折りのデータシート部の折り畳み途中の概略図である。
【図７】図６の折り畳み後の平面図である。
【図８】別例のつづら折りのデータシート部の折り畳み後の平面図である。
【図９】つづら折りのデータシート部の部分拡大平面図である。
【発明を実施するための形態】
【００１５】
【実施例】
【００１６】      折り畳み式の区画索引ページの作成：Ａ１規格の坪量６０−１２０ｇ／ｍ２の紙材（アート紙が好ましい）を辺が約１２０ｍｍｘ約１２０ｍｍの区画の３５個のマス目が作成できるように山折りの折り目線６および谷折りの折り目線７を図１に示すように作成して、いわゆるミウラ折りとし、アート紙の各辺部に幅約１０ｍｍの見出し部４を含む折り目付けを行う。ミウラ折りの特徴である角度αは、約５度から約１０度が好ましい。紙材は、アート紙に限定するものでなく、折り曲げ折り畳みが実用的に可能で、鉛筆、ボールペン、油性もしくは水性ペンで書き込みができるものであれば他の紙材でも良い。アート紙の大きさおよび各区画の一辺の大きさは、特に限定するものではないが、各区画の一辺の大きさは、９０ｍｍから１２０ｍｍが実用的である。Ａ１規格を７ｘ５のミウラ折りとした場合、図３に示したように約１６０ｍｍｘ約１４０ｍｍの大きさに折り畳むことができる。【００１７】  各区画の左上にページ番地となる座標として、縦軸をＡ、Ｂ、Ｃ、Ｄ、Ｅの５区画、横軸を１、２、３、４、５、６、７区画の組み合わせで表示する。例えば図１のＡ１、Ｂ２、Ｄ５などのページ番地１を予め印刷するかもしくは、シールや付箋紙などで貼付した状態で提供される。【００１８】  各区画の縦方向および横方向の一連の少なくとも一つの方向の一連は、索引の属するグループを示している場合が多いが、検討しようとする開発テーマにより、さまざまに変化するので、共通する着色、記号、シンボルなどは、利用者が識別できるように自身で書き込みや着色を行う方が好ましい。グループの記号などを記入できる枠は、着色部１０であり、各区画に印刷するかもしくは、シールなどで貼付した状態で提供される。着色部１０には各区画索引の要素８を記入する。また、見出し部４の幅方向の境目は、手で切り込みが可能なようにミシン目穴か、もしくは切れ目５を形成する。【００１９】      その際の各区画には、必ず次に進むべき区画ページ番地２あるいは参照すべきデータベース部のデータシートページ番地３を表示する。折り畳み区画索引ページの折り畳み方は、図２および図３に示したようなミウラ折りが好ましいが、他の折り方でも良い。【００２０】      データシートページの作成：Ａ１規格の坪量６０−１２０ｇ／ｍ２のアート紙を図４および図５に示したように折り畳み後の各ページがＡ４規格になるように山折りの折り目線６および谷折りの折り目線７でつづら折りし、上端部を幅約１０−１５ｍｍとしてデータの見出し部１１とし、その左側にデータシートページ番地３を表示する。個々の具体的なデータは、図８に示したようにデータシートの各ページにＢ５規格の印刷したデータ１２を貼付するか、もしくは各ページに直接記入する。【００２１】      データの内容が多項目にわたり、それぞれ少量単位の場合には、図８に示したようにデータシートとしてＡ１規格の用紙を三つ折りにするか、もしくは三分割裁断して縦幅１９８ｍｍで横幅７２ｍｍを一面とし、これを多数枚重ねて裏表約１４０個のデータをまとめることもできる。紙質は坪量９５ｇ／ｍ２のアート紙を使用した。【００２２】      アイデアの開発および検討の実施：「折り畳み式の要素索引部およびそれと分離したつづら折りのデータシート部からなる文具」をアイデアの開発および検討のテーマとして実施した例を説明する。【００２３】      要素８として、事前確認事項、課題と解決策、問題点分析、工程表作成、費用とコスト、製造と販売、採算性とその他などであり、問題点の各項目としては、形状および区画数、素材、作成方法、折り畳み方法、見出し部、印刷の可否、記入方法、識別方法、関連づけ方法、索引部構成、対応種類選択、状況把握、課題確認、解決策探索、最適解決策選択、実施結果記録などである。【００２４】      これらを表記するシート寸法はＡ１規格サイズ（５９４ｍｍｘ８４１ｍｍ）を採用し、紙質は坪量で９５ｇ／ｍ２のアート紙で、これを図１および図２に示したように縦５区画、横７区画に山折りの折り目線６および谷折りの折り目線７にて折り畳む。見出し部４は区画部上辺に約１０ｍｍの幅を設け、ここに縦方向もしくは横方向の関連する適切なテーマである要素８を記入し、場合によれば下地の着色部１０に着色するか、もしくは着色した付箋紙などを貼付する。その色彩は関連飛び先の要素のページ番地１と同等の色で関連づけ、その飛び先のデータシートページ番地３も列記する。【００２５】      各区画の要素索引部のページ番地１は縦軸をＡ、Ｂ、Ｃ、Ｄ、Ｅの５区画、横軸を１、２、３、４、５、６、７の７区画とし、その組み合わせでページ番地１としての座標表示とする。例えば、表座標Ｂ３は、上から２番目で、左から３番目の区画を表すこととする。Ａ１からＡ７までには、Ａ１に「事前確認事項」、Ａ２に「課題と解決策」、Ａ３に「問題点分析」、Ａ４に「工程表」、Ａ５に「費用とコスト」、Ａ６に「製造と販売」、Ａ７に「採算性とその他」の各要素８とする。【００２６】      ページ番地Ａ１の「事前確認事項」から下側へ、Ｂ１に「特許関係調査」、Ｃ１に「文献調査」、Ｄ１に「ビジネス形態」、Ｅ１に「人材／その他」の各要素８とする。Ａ２の「課題と解決策」から下側へ、Ｂ２に「検討課題の一覧化」、Ｃ２に「折り畳み方法等」、Ｄ２に「関連付け」、Ｅ２に「製造関係」の各要素８とする。Ａ３の「問題点分析」から下側へ、Ｂ３に「市場性」、Ｃ３に「メリット」、Ｄ３に「デメリット」、Ｅ３に「その他」の要素８とする。Ａ４の「工程表」から下側へ、Ｂ４に「特許出願」、Ｃ４に「試作品」、Ｄ４に「試供品」、Ｅ４に「製品の製造／販売」の要素８とする。Ａ５の「費用とコスト」から下側へ、Ｂ５に「特許調査／出願関係」、Ｃ５に「紙材／裁断／包装」、Ｄ５「広告宣伝」に、Ｅ５に「その他」の要素８とする。Ａ６の「製造と販売」から下側へ、Ｂ６に「製造委託」、Ｃ６に「販売ルート」、Ｄ６に「売価設定」、Ｅ６に「その他」の要素８とする。Ａ７の「採算性とその他」から下側へ、Ｂ７に「売り上げ予測」、Ｃ７に「製造原価」、Ｄ７に「予測利益」、Ｅ７に「その他」の要素８とする。【００２７】      各要素８の関連する要素への飛び先は、上記の表座標であるページ番地１で表記するものとし、各行Ａ１−Ａ７については、その下方の各列Ｂ、Ｃ、Ｄ、Ｅは関連先であることを優先して表示し、それ以外の関連先についてはそのページ番地１を表記する。例えば、Ｂ１に表記した「特許関係調査」の要素８の中にページ番地Ａ５、Ｂ５を関連先として記し、さらに関連するデータシートページ番地３を記入する。その例として図９に図１の部分を拡大した状態を示す。【００２８】      上述したＡ４サイズに折り畳まれたデータシートに、特許文献明細書、開発手法などの文献の要旨、紙材データ（紙質、坪量、艶、サイズなど）、折り畳み方法の図解、売り上げ予測と損益分岐分析、工程表ブラフなどをＢ５規格の紙９に印刷もしくは書き込みを行い、各データシートページ番地３であるｄＡ１、ｄＡ２、ｄＡ３などに貼り付け、データシートページ番地３の右側に見出し部１１を作成し、必要であれば索引部の飛び先記号をそこに記入する。関連する同義のデータシートページがある場合には連番記号とすることもできるし、同一の色彩により、統一することもできる。【００２９】      各要素８の縦・横の配列は、図１に示したように、できるだけ関連付けられ、各区画は、各要素の次に進むべき区画のページ番地１、および／もしくは参照すべきデータベースページ番地３を記入している。
【発明の効果】
【００３０】      以上のようにこの発明によれば、要素索引部において、作業工程は視覚的なグループ化された配列区分により、階層的な配列となり、明確な現在の作業工程位置を知ることができる。そして次の作業、その次の作業の工程も鳥瞰でき、作業予定を配慮することができる。また、検討が必須な類似作業は、同一ブロックあるいは隣接したブロックに列記されているので、見落としが生じにくく、効果的な思考作業に導かれる。
【００３１】      つづら折りデータシート部においては、背綴じ製本を採用しないので、索引部と関連付けられた複数ページを一気に展観できる利便性があり、さらに類似の複数ページをも同時に展観でき、鳥瞰状態で多量のデータを同時に比較検討ができる利便性があり、開閉する時に“扇子開き”や“雪崩送り”などができ、目的のページを迅速で探し当てることができるので、効率的である。取り扱い操作は視覚による導きにより、習熟の必要がなく、使用頻度が低い場合でも快適な操作性を発揮する。
【産業上の利用可能性】
【００３２】      開発や検討すべきアイデアの系統的な討論や推察を見落としなくして行え、コンピュータシステムなどの構築の費用が不要である。また、問題解決の支援文具としてのみならず、事故対応マニュアルなどのように頻度の少ないケースでの使用の際にも作業工程の道筋が瞬時に理解でき、即応性が高い。
【図１】
2013141827.tif 000003
【図２】
2013141827.tif 000004
【図３】
2013141827.tif 000005
【図４】
2013141827.tif 000006
【図５】
2013141827.tif 000007
【図６】
2013141827.tif 000008
【図７】
2013141827.tif 000009
【図８】
2013141827.tif 000010
【図９】
2013141827.tif 000011